(57)【要約】【課題】  紙材にて形成されるものにあって、強固な構造のペットハウスを提供する。【解決手段】  ペットハウス１は、段ボール材にてそれぞれ形成され、内部にペット収容室を有する内側ケース２と、この内側ケース２に一体に組み付けられると共に、該内側ケース２を覆うように外周に配置された外側ケース３と、を備えている。この外側ケース３の打ち抜き文字形成エリアＳには打ち抜きによって文字が形成され、外側ケース３の屋根板３５の内部には内側ケース２の天井板を底面とした小物収容室が設けられ、外側ケース３の屋根板３５には取っ手部６が延設されている。【選択図】      図１
2006204204.tif 000002
【特許請求の範囲】
【請求項１】
紙材にて形成されたペットハウスにおいて、
内部にペット収容室を有する内側ケースと、この内側ケースに一体に組み付けられると共に、該内側ケースを覆うように外周に配置された外側ケースと、を備えたことを特徴とするペットハウス。
【請求項２】
請求項１記載のペットハウスであって、
前記外側ケースに、打ち抜きによって文字が形成されたことを特徴とするペットハウス。
【請求項３】
請求項１記載のペットハウスであって、
前記外側ケースの屋根板の内部に、前記内側ケースの天井板を底面とした小物収容室が設けられたことを特徴とするペットハウス。
【請求項４】
請求項１記載のペットハウスであって、
前記外側ケースの屋根板に、取っ手部が設けられたことを特徴とするペットハウス。
【請求項５】
請求項１記載のペットハウスであって、
前記内側ケース及び前記外側ケースは、段ボール材で形成されたことを特徴とするペットハウス。
【発明の詳細な説明】
【技術分野】
【０００１】
本発明は、段ボール等の紙材にて形成されたペットハウスに関する。
【背景技術】
【０００２】
この種の従来のペットハウスとして、図８及び図９に示すものがある（例えば、特許文献１参照）。
【０００３】
このペットハウス１００は、図８及び図９に示すように、第１の小屋１０１と、この第１の小屋１０１の上面に設けられた第２の小屋１０２と、この第２の小屋１０２の上面に設けられたタワー部１０３から成り、これらは段ボール材よりそれぞれ形成されている。第１及び第２の小屋１０１，１０２には出入口１０１ａ，１０２ａが形成されている。また、第１の小屋１０１の床面には防護用敷部１０４が敷かれている。さらに、第２の小屋１０２の床面には布切れ１０５が敷かれている。
【０００４】
この従来例のペットハウス１００では、段ボール材にて形成されていることから組み立てが容易で、かつ、低コストで製造できるという利点がある。
【特許文献１】実用新案登録第３０９２０５２号公報
【発明の開示】
【発明が解決しようとする課題】
【０００５】
しかしながら、前記従来のペットハウス１００では、各小屋１０１，１０２が段ボール材の一層構造であるため、強度的に弱いという問題があった。
【０００６】
そこで、本発明は、前記した課題を解決すべくなされたものであり、紙材にて形成されるものにあって、強固な構造のペットハウスを提供することを目的とする。
【課題を解決するための手段】
【０００７】
請求項１の発明は、紙材にて形成されたペットハウスにおいて、内部にペット収容室を有する内側ケースと、この内側ケースに一体に組み付けられると共に、該内側ケースを覆うように外周に配置された外側ケースと、を備えたことを特徴とする。
【０００８】
請求項２の発明は、請求項１記載のペットハウスであって、前記外側ケースに、打ち抜きによって文字が形成されたことを特徴とする。
【０００９】
請求項３の発明は、請求項１記載のペットハウスであって、前記外側ケースの屋根板の内部に、前記内側ケースの天井板を底面とした小物収容室が設けられたことを特徴とする。
【００１０】
請求項４の発明は、請求項１記載のペットハウスであって、前記外側ケースの屋根板に、取っ手部が設けられたことを特徴とする。
【００１１】
請求項５の発明は、請求項１記載の収容箱であって、前記内側ケース及び前記外側ケースは、段ボール材で形成されたことを特徴とする。
【発明の効果】
【００１２】
請求項１の発明によれば、内側ケースと外側ケースとの二層構造であるため、紙材であっても強固な構造物のペットハウスを提供できる。
【００１３】
請求項２の発明によれば、ペットの名前等を打ち抜きで付することができる。
【００１４】
請求項３の発明によれば、ペットを飼う際に必携の小物等を収容でき、便利である。
【００１５】
請求項４の発明によれば、ペットの運搬に便利である。
【００１６】
請求項５の発明によれば、非常に強固な構造物のペットハウスを低コストで提供できる。
【発明を実施するための最良の形態】
【００１７】
以下、本発明の一実施形態を図面に基づいて説明する。
【００１８】
図１〜図７は本発明の一実施形態を示し、図１はペットハウスの斜視図、図２は内側ケースの型シートの平面図（内側ケースの展開図）、図３は外側ケースの型シートの平面図（外側ケースの展開図）、図４は内側ケースを組み立て完了時の斜視図、図５は外側ケースの組み立て過程の斜視図、図６は外側ケースの組み立て完了時の斜視図、図７は外側ケース内に内側ケースを配置した状態の斜視図である。
【００１９】
図１に示すように、ペットハウス１は、内側ケース２と、この内側ケース２を覆うように外周に配置された外側ケース３とから成り、これら内側ケースとと外側ケース３は段ボール材にてそれぞれ形成されている。このペットハウス１は、内側ケース２と外側ケース３によって家型を成し、内側ケース２の内部にはペット収容室４が形成されている。この内側ケース２の一対の係止片５，５が外側ケース３の取っ手部６に係止されることによって、内側ケース２と外側ケース３とが一体的に組み付けられるようになっている。また、外側ケース３の屋根裏には、小物収容室７が形成されている。さらに、外側ケース３には打ち抜き文字形成エリアＳが形成されている。尚、内側ケース２の内部のペット収容室４の床面には、防護用敷物等を敷くようにしても良い。
【００２０】
図２及び図３に示すように、内側ケース２及び外側ケース３は、それぞれ所定形状の型シート１０，３０を折り曲げ加工し、その後に組み付けることによって製造されるようになっている。以下、各型シート１０の構成及びその組み立て方を説明する。
【００２１】
図２に示すように、内側ケース２の型シート１０は、２枚の幅広の側板１１，１１と、２枚の幅狭の側板１２，１２と、２枚の幅広の側板１１，１１にそれぞれ延設された２枚の天井板１３，１３と、２枚の幅狭の側板１２，１２の上端に延設された一対の係止片５，５と、一方の幅広の側板１１に延設された糊代部１４とを備えている。
【００２２】
一方の幅広の側板１１と天井板１３の連結箇所にはフラップ差し込み孔１５が形成され、かつ、その側板１１の外辺には係止片１６が付設されている。また、他方の幅広の側板１１と天井板１３との連結箇所には切り込み１７が形成され、かつ、その側板１１の外辺には差し込みフラップ１８が付設されている。
【００２３】
幅狭の各側板１２には、窓孔１９がそれぞれ形成されている。一方の幅狭の側板１２には、出入口２０が形成されていると共に、隣接する側板１１の近傍位置に扉用掛止孔２１が形成されている。各係止片５には係止用スリット２２がそれぞれ形成されている。尚、図２中の破線箇所は折り曲げ線部２３である。
【００２４】
図３に示すように、外側ケース３の型シート３０は、底板３１と、この底板３１の対向する両外辺より延設された２枚の囲い敷板３２，３２と、底板３１の対向する両外辺よりそれぞれ延設された２枚の側板３３，３３と、この一方の側板３３より延設された扉部３４と、各側板３３，３３より延設された２枚の屋根板３５，３５と、この２枚の屋根板３５，３５よりそれぞれ延設された一対の取っ手部６，６とを備えている。
【００２５】
底板３１の囲い敷板３２，３２の近傍には、差し込み孔３６，３６がそれぞれ形成されている。各囲い敷板３２，３２の外辺には係止片３７，３７が付設されている。一方の側板３３と扉３４にはそれぞれ窓孔３８が形成されている。他方の側板３３に打ち抜き文字形成エリアＳが形成されている。この打ち抜き文字形成エリアＳには、図面上では図示されていないが、「ペットハウス」の文字やペット名の文字等が打ち抜きによって形成されるようになっている。
【００２６】
各側板３３，３３の底板３１近傍には、一対の補強用フラップ３９，３９がそれぞれ延設されている。一方の側板３３には、扉用掛止片４０が付設されている。扉部３４には扉開閉用摘み片４１と扉係止用切り込み４２が形成されている。一方の屋根板３５には、小物収容室７を開閉するための扉４３が切り込み４４によって形成されている。各屋根板３５，３５の両外辺には、補強用フラップ４５がそれぞれ延設されている。
【００２７】
一対の取っ手部６，６には各握持用孔４６がそれぞれ形成されている。また、各取っ手部６には一対の係止用スリット４７，４７がそれぞれ形成されている。尚、図３中の破線箇所は折り曲げ線部４８である。
【００２８】
次に、２つの型シート１０，３０からペットハウス１を組み付ける手順を説明する。
【００２９】
まず、図２に示すように、４つの側板１１，１１，１２，１２を長方形の枠状にそれぞれ折り曲げ、糊代部１４とこれに対向する側板１２の面とを接着剤等で貼り付ける。次に、４つの側板１１，１１，１２，１２で囲まれた天井面に２枚の天井板１３，１３を折り曲げて配置し、係止片１６を切り込み１７に、差し込みフラップ１８をフラップ差し込み孔１５にそれぞれ差し込む。これにより、内側ケース２を図４に示す組み付け状態とする。
【００３０】
次に、図３に示すように、底板３１に対して２枚の側板３３，３３を折り曲げて立設状態とする。そして、各側板３３の一対の補強用フラップ３９，３９を内側に折り曲げる。次に、一対の補強用フラップ３９，３９を包み込むように囲い敷板３２，３２をそれぞれ折り込み、各囲い敷板３２，３２の係止片３７，３７を差し込み孔３６，３６にそれぞれ差し込む。また、各屋根板３５に対して一対の補強用フラップ４５，４５を内側に折り曲げる。これにより、外側ケース３を図５に示す組み付け状態とする。
【００３１】
次に、図４に示す内側ケース２を、図５に示す外側ケース３の上方より内部に配置し、図６に示す組み付け状態とする。次に、外側ケース３の一対の側板３３，３３に対して各屋根板３５，３５を内側の斜め方向に折り曲げ、両側の取っ手部６，６を合わせた状態とする。これにより、図７に示す状態とする。
【００３２】
次に、内側ケース２の一対の係止片５，５をＬ字状に折り曲げ、各係止片５，５と取っ手部６の双方の係止用スリット２２，４７を互いに差し込む。これによって、内側ケース２と外側ケース３とが一体的に組み付けられ、図１に示すペットハウス１が完成する。
【００３３】
このペットハウス１は、内部にペット収容室４を有する内側ケース２と、内側ケース２に一体的に組み付けられると共に、内側ケース２を覆うように外周に配置された外側ケース３とから構成されたので、ペットハウス１が内側ケース２と外側ケース３との二層構造となる。このため、各ケース２，３が段ボール材であっても強固な構造物のペットハウス１を提供できる。
【００３４】
また、外側ケース３には、図示しない打ち抜きによって文字等が形成されるので、ペットの名前等を打ち抜きで付することができる。つまり、打ち抜き文字等が内側ケース２の地色によって明示される。さらに、外側ケース３の屋根板３５の内部には、内側ケース２の天井板１３，１３を底面とした小物収容室７が設けられたので、ペットを飼う際に必携の小物等を収容でき、便利である。
【００３５】
また、外側ケース３の屋根板３５，３５には、取っ手部６が設けられたので、ペットの運搬に便利である。さらに、内側ケース２及び外側ケース３が共に段ボール材にて形成されているため、非常に強固なペットハウス１を低コストで提供できる。
【００３６】
尚、前記実施形態によれば、内側ケース２には底板が設けられていないが、底板を設けても良い。このようにすれば、ペットハウス１の底板側も二層構造にでき、更に構造的に強固にできる。但し、前記実施形態のように内側ケース２に底板を設けない場合には、外側ケース２より内側ケース２を取り外すと外側ケース３の底板３１が完全に露出され、掃除等が容易にできるという利点がある。また、内側ケース２及び外側ケース３は、段ボール材以外の紙材、例えば厚紙にて形成しても良い。さらに、外側ケース３に打ち抜き文字形成エリアＳを形成したが、このエリアにペット名の文字等を直接印刷したり、或いは、ペット名の文字等を印刷したプレート等を接着しても良いことは勿論である。
【図面の簡単な説明】
【００３７】
【図１】本発明の一実施形態を示し、ペットハウスの斜視図である。
【図２】本発明の一実施形態を示し、内側ケースの型シートの平面図（内側ケースの展開図）である。
【図３】本発明の一実施形態を示し、外側ケースの型シートの平面図（外側ケースの展開図）である。
【図４】本発明の一実施形態を示し、内側ケースを組み立て完了時の斜視図である。
【図５】本発明の一実施形態を示し、外側ケースの組み立て過程の斜視図である。
【図６】本発明の一実施形態を示し、外側ケースの組み立て完了時の斜視図である。
【図７】本発明の一実施形態を示し、外側ケース内に内側ケースを配置した状態の斜視図である。
【図８】従来例のペットハウスの斜視図である。
【図９】従来例のペットハウスの断面図である。
【符号の説明】
【００３８】
１  ペットハウス
２  内側ケース
３  外側ケース
４  ペット収容室
６  取っ手部
７  小物収容室
１３  天井板
３５  屋根板
Ｓ  打ち抜き文字形成エリア
【図１】
2006204204.tif 000003
【図２】
2006204204.tif 000004
【図３】
2006204204.tif 000005
【図４】
2006204204.tif 000006
【図５】
2006204204.tif 000007
【図６】
2006204204.tif 000008
【図７】
2006204204.tif 000009
【図８】
2006204204.tif 000010
【図９】
2006204204.tif 000011